【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】  両面にポリエステルを主成分とする樹脂フィルムのラミネート層を有する容器用金属板であって、容器成形後に容器内面側になる樹脂フィルムの内容物と接する面の、表面自由エネルギーの極性力成分γｓｈが、４．０×１０−３Ｎ／ｍ以下であることを特徴とする容器用フィルムラミネート金属板。
【請求項２】  両面にポリエステルを主成分とする樹脂フィルムのラミネート層を有する容器用金属板であって、容器成形後に容器内面側になる樹脂フィルムの内容物と接する面の、表面自由エネルギーの極性力成分γｓｈが、２．０×１０−３Ｎ／ｍ以下であることを特徴とする容器用フィルムラミネート金属板。
【請求項３】 容器成形後に容器内面側になる樹脂フィルムが２層以上から構成されていることを特徴とする請求項１又は２に記載の容器用フィルムラミネート金属板。
【請求項４】 容器成形後に容器内面側になる樹脂フィルムおよび／または容器成形後に容器外面側になる樹脂フィルムは、固体高分解能ＮＭＲによる構造解析における１，４配位のベンゼン環炭素の緩和時間Ｔ１ρが１５０ｍｓｅｃ以上である二軸延伸ポリエステルフィルムであることを特徴とする請求項１〜３のいずれかに記載の容器用フィルムラミネート金属板。
【請求項５】  容器成形後に容器内面側になるラミネート層の複屈折率が０．０２以下である領域が金属板との接触界面からフィルム厚み方向に５μｍ未満であることを特徴とする請求項１〜４のいずれかに記載の容器用フィルムラミネート金属板。
【請求項６】  請求項１〜５のいずれかに記載の容器用フィルムラミネート金属板を缶容器用の缶胴および／または蓋に加工して得られたことを特徴とする缶容器用部材。
【請求項７】  請求項１〜５のいずれかに記載の容器用フィルムラミネート金属板を加工して得られたことを特徴とする缶容器。
【手続補正２】
【補正対象書類名】明細書
【補正対象項目名】０００７
【補正方法】変更
【補正の内容】
【０００７】
（１）  両面にポリエステルを主成分とする樹脂フィルムのラミネート層を有する容器用金属板であって、容器成形後に容器内面側になる樹脂フィルムの内容物と接する面の、表面自由エネルギーの極性力成分γｓｈが、４．０×１０−３Ｎ／ｍ以下であることを特徴とする容器用フィルムラミネート金属板。
【手続補正３】
【補正対象書類名】明細書
【補正対象項目名】０００８
【補正方法】変更
【補正の内容】
【０００８】
（２）  両面にポリエステルを主成分とする樹脂フィルムのラミネート層を有する容器用金属板であって、容器成形後に容器内面側になる樹脂フィルムの内容物と接する面の、表面自由エネルギーの極性力成分γｓｈが、２．０×１０−３Ｎ／ｍ以下であることを特徴とする容器用フィルムラミネート金属板。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
（３）  前記（１）又は（２）の容器用フィルムラミネート金属板において、容器成形後に容器内面側になる樹脂フィルムが２層以上から構成されていることを特徴とする容器用フィルムラミネート金属板。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
（４） 前記（１）〜（３）のいずれかの容器用フィルムラミネート金属板において、容器成形後に容器内面側になる樹脂フィルムおよび／または容器成形後に容器外面側になる樹脂フィルムは、固体高分解能ＮＭＲによる構造解析における１，４配位のベンゼン環炭素の緩和時間Ｔ１ρが１５０ｍｓｅｃ以上である二軸延伸ポリエステルフィルムであることを特徴とする容器用フィルムラミネート金属板。
【手続補正１４】
【補正対象書類名】明細書
【補正対象項目名】００１９
【補正方法】変更
【補正の内容】
【００１９】
（５） 前記（１）〜（４）のいずれかの容器用フィルムラミネート金属板において、容器成形後に容器内面側になるラミネート層の複屈折率が０．０２以下である領域が金属板との接触界面からフィルム厚み方向に５μｍ未満であることを特徴とする容器用フィルムラミネート金属板。
【手続補正１５】
【補正対象書類名】明細書
【補正対象項目名】００２０
【補正方法】変更
【補正の内容】
【００２０】
（６）  前記（１）〜（５）のいずれかの容器用フィルムラミネート金属板を缶容器用の缶胴および／または蓋に加工して得られたことを特徴とする缶容器用部材。
（７）  前記（１）〜（５）のいずれかの容器用フィルムラミネート金属板を加工して得られたことを特徴とする缶容器。
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２８
【補正方法】変更
【補正の内容】
【００２８】
本発明者らは、上記フィルムをラミネートした金属板を素材とする食品容器（缶詰）の内容物取り出し性について詳細に調査した。その結果、内容物取り出し易さはラミネート金属板の表面自由エネルギーと相関があり、その表面自由エネルギーを小さくすることで内容物を取り出しやすくできることを見出し、そして、ラミネート金属板の表面自由エネルギーを３０×１０−３Ｎ／ｍ（３０ｄｙｎ／ｃｍ）以下に規定することで良好な内容物取り出し性が得られることを見出した。ここで、表面自由エネルギーとは、物体の表面張力とほぼ同値であり、この値が高いほど、ぬれ易く、密着力も高くなる。表面自由エネルギーを小さくすることで内容物とラミネート金属板との密着力が弱くなり、内容物が取り出しやすくなると考えられる。
【手続補正２１】
【補正対象書類名】明細書
【補正対象項目名】００３１
【補正方法】変更
【補正の内容】
【００３１】
表面自由エネルギーの極性力成分γｓｈが内容物取り出し性の支配因子であるということは、内容物の極性基とポリエステル樹脂フィルムの極性基間の相互作用力によって内容物がポリエステル樹脂フィルムに密着し、内容物が取り出しにくくなっているためと考えられる。
【手続補正２２】
【補正対象書類名】明細書
【補正対象項目名】００５７
【補正方法】変更
【補正の内容】
【００５７】
複層構造のフィルムは金属板と密着する側に金属板との密着性に優れる密着層を有していてもよい。密着層としては、イソフタル酸共重合ポリエチレンテレフタレート（ＰＥＴ／Ｉ）など、金属板との密着性が良く、密着層の上層に含まれるポリエチレンテレフタレートと相溶性のあるものが好適である。容器外面側では、コスト面、染料添加（後記）のしやすさの点から、密着層にエポキシフェノール等のような接着剤を使用することもできる。